(57)【要約】【課題】  マッサージ部が磨耗してマッサージ効果が損なわれても回復させることができ、かつ、使用して汚れた場合に洗浄する煩瑣のないマッサージ器を提供する。【解決手段】  人体の一部を保持しうるように形成されたマッサージ部と、上記マッサージ部にマッサージ運動を付与しうるように形成された駆動部とを有し、上記マッサージ部が上記駆動部に対し脱着可能である。上記マッサージ運動は往復運動であり、上記駆動部には上記マッサージ部を装着して往復運動しうるスライド部材が設けられ、上記スライド部材は上記マッサージ部の前後２箇所を把持する。上記マッサージ部はアダプタを介し上記スライド部材に装着され、上記アダプタは上記マッサージ部に対する脱着可能な係合部と、上記スライド部材に対する脱着可能な係合部とを有する。【選択図】  図２
0003113518.tif 000002
【実用新案登録請求の範囲】
【請求項１】
人体の一部を保持しうるように形成されたマッサージ部と、上記マッサージ部にマッサージ運動を付与しうるように形成された駆動部とを有し、上記マッサージ部が上記駆動部に対し脱着可能に装着されていることを特徴とするマッサージ器。
【請求項２】
上記マッサージ運動は往復運動であることを特徴とする請求項１記載のマッサージ器。
【請求項３】
上記駆動部には上記マッサージ部を装着して往復運動しうるスライド部材が設けられ、上記スライド部材は上記マッサージ部の往復運動方向における前後２箇所を把持しうるように形成されていることを特徴とする請求項１〜２記載のマッサージ器。
【請求項４】
上記マッサージ部はアダプタを介し上記スライド部材に装着しうるように形成され、上記アダプタは上記マッサージ部に対する脱着可能な係合部と、上記スライド部材に対する脱着可能な係合部とを有することを特徴とする請求項３記載のマッサージ器。
【請求項５】
上記駆動部はモータと、減速用歯車機構と、モータによる回転運動を往復運動に変換して上記スライド部材に伝達する運動変換機構とを有することを特徴とする請求項１〜４記載のマッサージ器。
【請求項６】
上記駆動部には、上記マッサージ部が強制的に停止させられた場合に、上記運動変換機構と上記減速用歯車機構との間を分断しうるクラッチが設けられていることを特徴とする請求項５記載のバッグ。
【請求項７】
上記駆動部は、上記往復運動のスピードを複数段階に変更しうるように形成されていることを特徴とする請求項２〜６記載のマッサージ器。
【請求項８】
上記スライド部材には、往復運動時に、上記駆動部のケースに接触して転動するローラが設けられていることを特徴とする請求項３〜７記載のマッサージ器。
【請求項９】
上記駆動部は、ケースの底面部に取っ手として使用されるテープ状部材が張設されていることを特徴とする請求項１〜８記載のマッサージ器。
【考案の詳細な説明】
【技術分野】
【０００１】
本考案はマッサージ器に係り、特に、マッサージ効果が損なわれても回復させることができ、かつ、使用して汚れた場合に洗浄する必要のないマッサージ器に関する。
【背景技術】
【０００２】
従来、人体の一部を保持しうるように形成されたマッサージ部と、上記マッサージ部にマッサージ運動を付与しうるように形成された駆動部とを有するマッサージ器が存在する。
【０００３】
上記従来のマッサージ器は、上記マッサージ部と上記駆動部とが一体に形成されていた。従って、上記マッサージ部を上記駆動部から取り外すことができなかった。
【０００４】
上記マッサージ器における上記マッサージ部はマッサージ運動を行うことにより、例えば人体の一部に振動を付与することから、繰り返し使用すると、上記マッサージ部が磨耗して、マッサージ効果が損なわれるという不具合があった。
【０００５】
また、上記マッサージ部は人体の一部を保持するので、使用により汚れた場合には洗浄しなければならず煩雑であった。
【０００６】
上記従来のマッサージ器は上記のように上記マッサージ部を上記駆動部から取り外すことができないことから、上記マッサージ部が磨耗した場合や、使用により汚れた場合に、新しいものに交換することができなかった。
【０００７】
本出願人は、上記不具合を解消しうるマッサージ器について先行技術を調査したが、関連する先行技術文献を見出すことはできなかった。
【考案の開示】
【考案が解決しようとする課題】
【０００８】
そこで本考案の課題は、上記マッサージ部が磨耗してマッサージ効果が損なわれても回復させることができ、かつ、使用して汚れた場合に洗浄する煩瑣のないマッサージ器を提供することにある。
【課題を解決するための手段】
【０００９】
上記課題を解決するために、請求項１記載の本考案に係るマッサージ器は、人体の一部を保持しうるように形成されたマッサージ部と、上記マッサージ部にマッサージ運動を付与しうるように形成された駆動部とを有し、上記マッサージ部が上記駆動部に対し脱着可能に装着されていることを特徴とする。
【００１０】
即ち、請求項１記載の本考案に係るマッサージ器にあっては、上記駆動部により上記マッサージ部が駆動されて人体の一部をマッサージすることになる。また、上記マッサージ部は上記駆動部から取り外すことができることから、新しいものと交換することができる。
【００１１】
また、請求項２記載の本考案に係るマッサージ器は、上記マッサージ運動は往復運動であることを特徴とする。
【００１２】
即ち、請求項２記載の本考案に係るマッサージ器にあっては、上記マッサージ部が往復運動して人体の一部を繰り返しマッサージするものである。従って、上記マッサージ部は人体の一部に振動を付与してマッサージすることができる。
【００１３】
また、請求項３記載の本考案に係るマッサージ器は、上記駆動部には上記マッサージ部を装着して往復運動しうるスライド部材が設けられ、上記スライド部材は上記マッサージ部の往復運動方向における前後２箇所を把持しうるように形成されていることを特徴とする。
【００１４】
即ち、請求項３記載の本考案に係るマッサージ器にあっては、上記マッサージ部は上記スライド部材と共に往復運動してマッサージすることになり、その際、上記マッサージ部は上記スライド部材により２箇所を把持されていることから、ずれたりせず、安定した姿勢でマッサージすることができる。
【００１５】
また、請求項４記載の本考案に係るマッサージ器は、上記マッサージ部はアダプタを介し上記スライド部材に装着しうるように形成され、上記アダプタは上記マッサージ部に対する脱着可能な係合部と、上記スライド部材に対する脱着可能な係合部とを有することを特徴とする。
【００１６】
即ち、請求項４記載の本考案に係るマッサージ器にあっては、上記マッサージ゛部は直に上記スライド部材に取り付けられるものではなく、上記アダプタを介して上記スライド部材に装着されるものである。従って、上記アダプタを上記スライド部材から取り外せば、上記マッサージ部も上記スライド部材から容易に取り外すことができる。また、上記マッサージ部には上記スライド部材に対する係合部を設ける必要がない。
【００１７】
また、請求項５記載の本考案に係るマッサージ器は、上記駆動部はモータと、減速用歯車機構と、モータによる回転運動を往復運動に変換して上記スライド部材に伝達する運動変換機構とを有することを特徴とする。
【００１８】
即ち、請求項５記載の本考案に係るマッサージ器にあっては、上記モータの回転が上記歯車機構に伝達され、さらに、上記歯車機構により減速された上記回転運動が上記運動変換機構により往復運動に変換されて上記スライド部材に伝達される。従って、上記スライド部材を簡易な機構で、容易に、適度な速度により往復運動させることができる。
【００１９】
また、請求項６記載の本考案に係るマッサージ器は、上記駆動部には、上記マッサージ部が強制的に停止させられた場合に、上記運動変換機構と上記減速用歯車機構との間を分断しうるクラッチが設けられていることを特徴とする。
【００２０】
即ち、請求項６記載の本考案に係るマッサージ器にあっては、上記マッサージ部が強制的に停止させられた場合に、上記運動変換機構と上記減速用歯車機構との間が上記クラッチにより分断されるので、上記歯車機構の各歯車が回転する際に過大な負荷がかかるのを防止することができる。
【００２１】
また、請求項７記載の本考案に係るマッサージ器は、上記駆動部は、上記往復運動のスピードを複数段階に変更しうるように形成されていることを特徴とする。
【００２２】
即ち、請求項７記載の本考案に係るマッサージ器にあっては、使用者は自分に合った運転速度を自由に選択することができる。
【００２３】
また、請求項８記載の本考案に係るマッサージ器は、上記スライド部材には、往復運動時に、上記駆動部のケースに接触して転動するローラが設けられていることを特徴とする。
【００２４】
即ち、請求項８記載の本考案に係るマッサージ器にあっては、上記スライド部材は上記ローラが転動することにより往復運動することから、摩擦が小さく、円滑に往復運動をすることができる。
【００２５】
また、請求項９記載の本考案に係るマッサージ器は、上記駆動部は、ケースの底面部に取っ手として使用されるテープ状部材が張設されていることを特徴とする。
【００２６】
即ち、請求項９記載の本考案に係るマッサージ器にあっては、テーブル等の上に据え置いた状態で使用することもできるが、上記ケースの底面部に張設された上記テープ状部材を取っ手として手で握持することによっても使用することができる。
【考案の効果】
【００２７】
請求項１記載の本考案に係るマッサージ器は、人体の一部を保持しうるように形成されたマッサージ部と、上記マッサージ部にマッサージ運動を付与しうるように形成された駆動部とを有し、上記マッサージ部が上記駆動部に対し脱着可能に装着されていることから、上記マッサージ部が磨耗した場合や、上記マッサージ部が使用により汚れた場合は、上記マッサージ部を上記駆動部から取り外して、新しいマッサージ部に交換することができる。
従って、上記マッサージ部が磨耗してマッサージ効果が損なわれても容易に回復することができ、又、上記マッサージ部が汚れても洗浄することが不要となる。
【００２８】
また、請求項２記載の本考案に係るマッサージ器は、上記マッサージ運動が往復運動であることから、上記マッサージ部を効率良く動かすことができ、これにより、マッサージ部は人体の一部に対して往復運動による振動を付与することができ、マッサージ効果を高めることができる。
【００２９】
また、請求項３記載の本考案に係るマッサージ器は、上記駆動部には上記マッサージ部を装着して往復運動しうるスライド部材が設けられ、上記スライド部材は上記マッサージ部の往復運動方向における前後２箇所を把持しうるように形成されていることから、上記スライド部材による上記マッサージ部の支持が安定し、上記マッサージ部が往復運動時にずれたりすることがないので、マッサージ部の動作が安定する。
【００３０】
また、請求項４記載の本考案に係るマッサージ器は、上記マッサージ部はアダプタを介し上記スライド部材に装着しうるように形成され、上記アダプタは上記マッサージ部に対する脱着可能な係合部と、上記スライド部材に対する脱着可能な係合部とを有することから、上記マッサージ部が上記アダプタを用いることにより容易に上記スライド部材に対し脱着可能となる。
【００３１】
また、請求項５記載の本考案に係るマッサージ器は、上記駆動部はモータと、減速用歯車機構と、モータによる回転運動を往復運動に変換して上記スライド部材に伝達する運動変換機構とを有することから、簡単な機構により上記モータの回転を利用して上記スライド部材を容易に往復運動させることができる。
【００３２】
また、請求項６記載の本考案に係るマッサージ器は、上記駆動部には、上記マッサージ部が強制的に停止させられた場合に、上記運動変換機構と上記減速用歯車機構との間を分断しうるクラッチが設けられていることから、上記マッサージ部が強制的に停止させられた場合に、上記減速用歯車機構の回転が無理に停止させられることがないので、上記運動変換機構や上記減速用歯車機構が破損する故障が防止される。
【００３３】
また、請求項７記載の本考案に係るマッサージ器は、上記駆動部が、上記往復運動のスピードを複数段階に変更しうるように形成されていることから、使用者はマッサージ部のマッサージ運動を自分に合ったスピードに調節することができ、使い勝手が良好である。
【００３４】
また、請求項８記載の本考案に係るマッサージ器は、上記スライド部材には、往復運動時に、上記駆動部のケースに接触して転動するローラが設けられていることから、上記スライド部材の往復運動時の摩擦を小さくして往復運動を円滑にすることができる。従って、マッサージ部もスムースにマッサージ運動を行うことができる。
【００３５】
また、請求項９記載の本考案に係るマッサージ器は、上記駆動部のケースの底面部に取っ手として使用されるテープ状部材が張設されていることから、上記取っ手を握って使用する場合に上記取っ手が邪魔にならず、使い勝手が良好である。
【考案を実施するための最良の形態】
【００３６】
以下、図面を用いて本考案の実施の形態について説明する。
本実施の形態に係るマッサージ器１１は、図１に示すように、人体の一部を保持しうるように形成されたマッサージ部１２と、上記マッサージ部１２にマッサージ運動を付与しうるように形成された駆動部１３とを有し、上記マッサージ部１２が上記駆動部１３に対し脱着可能に装着されている。
また、上記マッサージ運動は往復運動である。
また、上記駆動部１３には、図２に示すように、上記マッサージ部１２を装着して往復運動しうるスライド部材５９が設けられ、上記スライド部材５９は上記マッサージ部１２の往復運動方向における前後２箇所を把持しうるように形成されている。
また、上記マッサージ部１２は、図２に示すように、アダプタ７４を介し上記スライド部材５９に装着しうるように形成され、上記アダプタ５９は上記マッサージ部１２に対する脱着可能な係合部７９と、上記スライド部材５９に対する脱着可能な係合部７７とを有している。
また、上記駆動部１３は、図２に示すように、モータ３４と、減速用歯車機構３５と、モータ３４による回転運動を往復運動に変換して上記スライド部材５９に伝達する運動変換機構８２とを有している。
また、上記駆動部１３には、図２に示すように、上記マッサージ部１２が強制的に停止させられた場合に、上記運動変換機構８２と上記減速用歯車機構３５との間を分断しうるクラッチ４８，４９が設けられている。
また、上記駆動部１３は、上記往復運動のスピードを複数段階に変更しうるように形成されている。
また、上記スライド部材５９には、図３に示すように、往復運動時に、上記駆動部１３のケース２０に接触して転動するローラ６９，７０が設けられている。
また、上記駆動部１３は、図２に示すように、ケース２０の底面部に取っ手として使用されるテープ状部材８３が張設されている。
【実施例１】
【００３７】
図１〜４は実施例に係るマッサージ器１１を示したものである。
本実施例に係るマッサージ器１１は、図１に示すように、人体の一部を保持しうるように形成されたマッサージ部１２と、上記マッサージ部１２にマッサージ運動を付与しうるように形成された駆動部１３とを有し、上記マッサージ部１２は上記駆動部１３に対し脱着可能に装着されている。
【００３８】
上記マッサージ部１２は、図１に示すように、略円筒形容器１４と、上記容器１４の内部に収納された充填部材１５とにより構成されている。
【００３９】
上記容器１４は、長さ方向に沿って外面に波形曲面が形成されることにより外面に凹凸部１６を有し、また、前端に開口部１７が形成されている。
なお、不使用時に上記開口部１７を閉じるキャップ（図示せず）が備えられている。
【００４０】
また、上記充填部材１５は柔軟性を有する素材、例えばスポンジ状のエラストマーにより形成され、図１に示すように、その中心部には長さ方向に沿って、人体の一部、例えば指などを挿入しうる孔部１８が設けられると共に、上記孔部１８から径方向へ切込み１９が放射状に形成されている。
なお、上記充填部材１５にはローションが含浸されている。
【００４１】
また、上記駆動部１３は、図１に示すように、前面部２１が傾斜した箱型のケース２０を有し、上記前面部２１に上記マッサージ部１２の装着孔部２２が開設されている。
【００４２】
上記ケース２０の一方の側面部２６における下端部には、図１に示すように、ＯＮ−ＯＦＦスイッチ２３、減速スイッチ２４及び加速スイッチ２５が配置され、又、上面部２７における後端部には作動時に点灯し、不作動時に消灯するように構成された点滅部材２８が配置され、上記点滅部材２８にはＬＥＤが使用されている。
【００４３】
また、図３に示すように、上記ケース２０における他方の側面部２９における下端部には、バッテリー装填部３０が配置されている。
また、図２に示すように、上記ケース２０の後面部３１には、ＡＣアダプタ接続部３２が設けられ、コンセントに繋いで使用しうるように構成されている。
【００４４】
なお、上記ケース２０は、左右の半ケース部材２０ａ，２０ｂが合体され、図３に示すように、適宜な複数箇所がネジ３３で接合されることにより形成されている。
【００４５】
上記ケース２０の内部には、図２に示すように、モータ３４が収納され、上記モータ３４には歯車機構３５が組み付けられている。上記歯車機構３５は、図３に示すように、カバー８７で覆われている。
【００４６】
上記モータ３４の回転は、図２に示すように、上記モータ３４の軸３６に取り付けられた小径のプーリ３７と、第１のギア３８に一体形成された大径のプーリ３９との間に巻き掛けされたベルト４０により上記第１のギア３８に伝達されている。上記第１のギア３８は軸４３に取り付けられている。
【００４７】
上記第１のギア３８は小径に形成され、上記第１のギア３８には大径に形成された第２のギア４１が噛み合わされている。上記第２のギア４１には小径の第３のギア４２が一体形成されている。上記第２のギア４１及び第３のギア４２は軸４４に取り付けられている。
【００４８】
上記第３のギア４２には大径に形成された第４のギア４５が噛み合わされている。上記モータ３４の回転は、上記第１のギア３８から上記第４のギア４５まで伝達される間に適宜な回転数まで減速されている。
【００４９】
上記第４のギア４５の軸部４６には、図２に示すように、上端部にネジ４７により第１のクラッチ４８が接合されている。
【００５０】
上記第１のクラッチ４８は、図５及び図６に示すように、筒部８５の上端部に円板部５０が一体形成され、上記円板部５０の下面側には周方向の４箇所に突起５１が設けられている。
上記突起５１の側面部には傾斜面５５が形成されている。
【００５１】
上記第１のクラッチ４８には、図２に示すように、第２のクラッチ４９が組み付けられている。
上記第２のクラッチ４９も円板部５２を有し、上記円板部５２の上面側には上記突起５１と対応して凹部５３が設けられている。
【００５２】
上記第２のクラッチ４９はスプリング５４により上方へ付勢され、上記円板部５２の上面は上記第１のクラッチ４８における上記円板部５０の下面に当接され、上記突起５１は上記凹部５３に係合されている。
これにより上記第１のクラッチ４８から上記第２のクラッチ４９に回転力が伝達され、上記第１のクラッチ４８と上記第２のクラッチ４９は一体的に回転するように構成されている。
なお、上記第２のクラッチ４９は上記スプリング５４に抗してスリーブ８６内を下動可能に構成されている。
【００５３】
図２に示すように、上記第２のクラッチ４９の上記円板部５２において、上面側の中心部から径方向の外側へ偏した周端部には上方へ軸部５６が突設され、上記軸部５６の外周部にはリベット５７によりローラ５８が固定されている。
【００５４】
図２に示すように、上記第２のクラッチ４９はスライド部材５９に組み付けられている。
上記スライド部材５９は、図２及び図４に示すように、前方を開口し、上記マッサージ部１２を装着しうる円筒部６０を前半部に有し、後半部には扁平な板状部６１を有している。
【００５５】
上記スライド部材５９の上記円筒部６０には、図４に示すように、フック部材６２の係止部６３が設けられ、図２に示すように、上記係止部６３に固定された上記フック部材６２のフック部６４は上記円筒部６０の内面側に突出している。
【００５６】
また、上記スライド部材５９の上記板状部６１における後端部には、図４に示すように、長さ方向に直交するように長孔部６５が設けられ、上記長孔部６５内には、図２に示すように、上記第２のクラッチ４９に設けられた上記軸部５６と上記ローラ５８が挿入されている。
上記長孔部６５と、その内部に挿入される上記軸部５６と上記ローラ５８とにより、上記モータ３４による回転運動を上記スライド部材５９の往復運動に変換する運動変換機構８２が構成されている。
【００５７】
上記スライド部材５９の上記板状部６１における上記長孔部６５の前方には、図２及び図４に示すように、軽量化のために大孔部６６が設けられている。
【００５８】
上記スライド部材５９の側面部には、図４に示すように、横向き軸部６７と、縦向き軸部６８が設けられ、上記軸部６７，６８にはそれぞれ、図３に示すように、ローラ６９，７０が回転しうるように取り付けられている。
【００５９】
上記スライド部材５９における上記板状部６１は、図３に示すように、上記ケース２０の内面部に形成されたリブ７１，７２の上に幅方向の両端部位が載置され、上記ケース２０の長さ方向に沿って移動しうるように水平に配置されている。
【００６０】
一方の上記ローラ６９は、図３に示すように、上記リブ７１の上面に接触して転動し、他方の上記ローラ７０は上記ケース２０の内面部に形成された別のリブ７３の先端縁部に接触して転動しうるように構成されている。
【００６１】
上記スライド部材５９における上記円筒部６０は、図２に示すように、上記ケース２０における上記前面部２１に形成された上記装着孔部２２内に配置され、上記円筒部６０には上記マッサージ部１２がアダプタ７４を介して脱着可能に装着されている。
【００６２】
上記アダプタ７４は、図２及び図７に示すように、前半部に大径筒部７５を有し、後半部に小径筒部７６を有している。
【００６３】
上記アダプタ７４の上記小径筒部７６の外面には上記スライド部材５９の上記円筒部６０に対する係合部７７が設けられ、上記係合部７７として、図７に示すように、上記円筒部６０に係止された上記フック部材６２の上記フック部６４が挿入して移動可能に係合しうる略Ｌ形の溝部７８が形成されている。
【００６４】
また、上記アダプタ７４の内面部には、上記マッサージ部１２に対する係合部７９が設けられ、上記係合部７９として、図２に示すように、上記大径筒部７５の後端部と、上記小径筒部７６の後端部にそれぞれ内面側へ突出した係止爪片８０，８１が形成されている。上記係止爪片８０，８１はそれぞれ周方向の複数箇所に形成されている。
【００６５】
また、上記ケース２０の底面部８８には、図２に示すように、長さ方向の中間部に凹み部８４が形成され、上記凹み部８４を覆うように、上記ケース２０の長さ方向に沿って取っ手として使用しうるテープ状部材８３が張設されている。
【００６６】
以下、上記実施例の作用について説明する。
まず、上記マッサージ部１２を上記アダプタ７４に装着する。装着する場合は、上記マッサージ部１２を上記アダプタ７４の内部に挿入して、上記係止爪片８０，８１及び上記容器１４の弾性変形を利用して、上記係止爪片８０，８１を上記容器１４の外面部に形成された上記凹凸部１６における凹部に係合させればよい。
この場合、上記マッサージ部１２は前後２箇所を上記アダプタ７４の上記係止爪片８０，８１により支持されることになるので、安定し、作動時のずれを防止することができる。
【００６７】
次に、上記マッサージ部１２を装着した上記アダプタ７４を、上記ケース２０の上記装着孔部２２内に配置された上記スライド部材５９における上記円筒部６０に装着する。装着する場合は、上記アダプタ７４の外面部に形成された上記略Ｌ形の溝部７８に上記フック部材６２の上記フック部６４を挿入して係合させればよい。
【００６８】
上記マッサージ部１２は、使用により上記充填部材１５が磨耗したり、汚れる場合がある。
その場合は、上記アダプタ７４を上記円筒部６０から取り外し、さらに、上記マッサージ部１２を上記アダプタ７４から取り外すことにより廃棄して、新しいマッサージ部１２に交換することができる。
従って、常にマッサージ効果が損なわれず、かつ、清潔な状態で使用することができる。
【００６９】
上記マッサージ部１２を上記スライド部材５９の上記円筒部６０に装着してから、上記ケース２３の底面部８８に取っ手として張設された上記テープ状部材８３を手で握持した状態で、上記マッサージ部１２の上記充填部材１５に形成された上記孔部１８にマッサージしようとする人体の一部、例えば指などを挿入する。これにより、準備作業が終了する。
なお、上記テープ状部材８３を手で握持せずに、上記ケース２０をテーブル等の上に据え置いた状態で使用することも可能である。
【００７０】
使用を開始するには、上記ケース２０の上記側面部２６に配置された上記ＯＮ−ＯＦＦスイッチ２３を押して作動させる。
上記ＯＮ−ＯＦＦスイッチ２３を押すと、上記モータ３４の軸３６と、同軸３６に取り付けられた上記プーリ３７が回転し、その回転が上記ベルト４０を介して上記大形のプーリ３９及び第１のギア３８に伝達される。
【００７１】
上記第１のギア３８の回転は、同ギア３８に噛み合わされた上記第２のギア４１に伝達され、上記第２のギア４１と同ギア４１に一体形成された上記第３のギア４２は一体に回転する。
【００７２】
上記第３のギア４２の回転は、同ギア４２に噛み合わされた上記第４のギア４５に伝達される。
このように上記プーリ３７から上記第４のギア４５に伝達される間に、上記モータ３４の回転数は減速されることになる。
【００７３】
上記第４のギア４５が回転すると、上記第４のギア４５の軸部４６に固定された上記第１のクラッチ４８が回転し、同クラッチ４８と係合された上記第２のクラッチ４９も一体に回転する。
【００７４】
上記第２のクラッチ４９が回転すると、上記第２のクラッチ４９における上記円板部５２に形成された上記軸部５６と、同軸部５６に取り付けられた上記ローラ５８が上記第２のクラッチ４９の中心部を中心にして回転する。
このとき、上記軸部５６と上記ローラ５８は上記スライド部材５９における上記長孔部６５に挿入されていることから、上記ローラ５８は回転する際に上記長孔部６５に沿って上記スライド部材５９の幅方向へ移動しながら、上記スライド部材５９を前後方向へ押すことになり、これにより上記スライド部材５９は前後方向に往復運動することになる。
この場合、上記スライド部材５９に設けられた上記ローラ６９，７０が上記ケース２０に対し転動することから、摩擦が小さくなって上記スライド部材５９の往復運動が円滑になる。
【００７５】
従って、上記スライド部材５９に装着された上記マッサージ部１２も前後方向に往復運動し、このとき、上記マッサージ部１２の上記充填部材１５が上記孔部１８に挿入された指等の人体の一部を擦りながら刺激してマッサージすることになる。
【００７６】
なお、上記減速スイッチ２４を押した場合は、上記モータ３４に供給される電圧が低下して回転数が減少することにより、上記スライド部材５９の往復運動の速度が落ち、上記加速スイッチ２５を押した場合は、上記モータ３４に供給される電圧が上昇して回転数が増大することにより、上記スライド部材５９の往復運動の速度が上がるように構成されている。
従って、マッサージ速度を３段階に切り替えることができるので、使用者は自分に合った速度を選択することができるため、使い勝手が良好である。
【００７７】
ところで、上記マッサージ部１２に外圧が作用して、上記マッサージ部１２の往復運動が強制的に停止させられる場合がある。
この場合、上記第２のクラッチ４９が上記スプリング５４を圧縮しながら下動し、上記第１のクラッチ４８に設けられた上記突起５１が、上記第２のクラッチ４９に設けられた上記凹部５３から脱出して、第１のクラッチ４８と上記第２のクラッチ４９の係合状態が解消する。なお、上記突起５１における上記傾斜面５５により、上記凹部５３からの上記突起５１の脱出が容易化し、上記スライド部材５９にかかる負荷が過大になる前に、上記突起５１は上記凹部５３から脱出することができる。
これにより上記第１のクラッチ４８と上記第２のクラッチ４９との間が分断され、上記モータ３４の回転が上記スライド部材５９へ伝達しなくなる。従って、上記歯車機構３５の各歯車は負荷なく回転を続けることができ、無理な負荷がかかって破損する事故が防止される。
【産業上の利用可能性】
【００７８】
本考案はマッサージ器に適用可能である。
【図面の簡単な説明】
【００７９】
【図１】実施例に係るマッサージ器の斜視図である。
【図２】図１のＡ−Ａにおける断面図である。
【図３】図１のＢ−Ｂにおける断面図である。
【図４】実施例に係るマッサージ器の構成部品であるスライド部材の平面図である。
【図５】実施例に係るマッサージ器の構成部品である第１のクラッチの側面図である。
【図６】実施例に係るマッサージ器の構成部品である第１のクラッチの底面図である。
【図７】実施例に係るマッサージ器の構成部品であるアダプタの平面図である
【符号の説明】
【００８０】
１１  マッサージ器
１２  マッサージ部
１３  駆動部
１４  容器
１５  充填部材
１６  凹凸部
１７  開口部
１８  孔部
１９  切込み
２０  ケース
２１  前面部
２２  装着孔部
２３  ＯＮ−ＯＦＦスイッチ
２４  減速スイッチ
２５  加速スイッチ
２６  側面部
２７  上面部
２８  点滅部材
２９  側面部
３０  バッテリー装填部
３１  後面部
３２  ＡＣアダプタ接続部
３３  ネジ
３４  モータ
３５  歯車機構
３６  軸
３７  プーリ
３８  第１のギア
３９  プーリ
４０  ベルト
４１  第２のギア
４２  第３のギア
４３  軸
４４  軸
４５  第４のギア
４６  軸部
４７  ネジ
４８  第１のクラッチ
４９  第２のクラッチ
５０  円板部
５１  突起
５２  円板部
５３  凹部
５４  スプリング
５５  傾斜面
５６  軸部
５７  リベット
５８  ローラ
５９  スライド部材
６０  円筒部
６１  板状部
６２  フック部材
６３  係止部
６４  フック部
６５  長孔部
６６  大孔部
６７  軸部
６８  軸部
６９  ローラ
７０  ローラ
７１  リブ
７２  リブ
７３  リブ
７４  アダプタ
７５  大径筒部
７６  小径筒部
７７  係合部
７８  溝部
７９  係合部
８０  係止爪片
８１  係止爪片
８２  運動変換機構
８３  テープ状部材
８４  凹み部
８５  筒部
８６  スリーブ
８７  カバー
８８  底面部
【図１】
0003113518.tif 000003
【図２】
0003113518.tif 000004
【図３】
0003113518.tif 000005
【図４】
0003113518.tif 000006
【図５】
0003113518.tif 000007
【図６】
0003113518.tif 000008
【図７】
0003113518.tif 000009